(57)【要約】【課題】ドア上壁パネルや浴室ドア枠、浴室壁パネルの交換やメンテナンスを容易に行うことができるドア上壁パネルの取り付け構造を提供する。【解決手段】ドア上壁パネル１の背面の両側端部に連結部３０を設ける。ドア上壁パネル１の両側に位置する浴室壁パネル３ａ、３ｂからドア上壁パネル１側に向けてパネル受け部９を突設する。パネル受け部９に先端が膨大部２８となった係合突部２７を突設する。連結部３０に係合孔３６を形成する。係合突部２７を係合孔３６に係合する。【選択図】        図１
2009263993.tif 000002
【特許請求の範囲】
【請求項１】
浴室ドア枠の上方の浴室壁を構成するドア上壁パネルを備え、ドア上壁パネルの背面の両側端部に連結部を設けると共に、ドア上壁パネルの両側に位置する浴室壁パネルからドア上壁パネル側に向けてパネル受け部を突設し、前記連結部及びパネル受け部のうち、一方に先端が膨大部となった係合突部を突設すると共に他方に係合孔を形成し、係合孔を、前記膨大部よりも大径の膨大部挿入用孔部と、前記膨大部よりも小径で膨大部挿入用孔部に連通する引掛け孔部とで構成し、ドア上壁パネルを浴室ドア枠上に載置すると共にドア上壁パネルの両連結部を両パネル受け部の浴室側の面に沿わせ、且つ、係合突部を係合孔に挿通すると共に係合突部を引掛け孔部の縁部に係合して成ることを特徴とするドア上壁パネルの取り付け構造。
【発明の詳細な説明】
【技術分野】
【０００１】
本発明は浴室ドア枠の上方の浴室壁を構成するドア上壁パネルの取り付け構造に関する。
【背景技術】
【０００２】
従来、浴室の出入口を構成する浴室ドア枠を低くして浴室ドア枠と脱衣室のドアとの高さを揃えたり、浴室ドア枠の上方壁部の脱衣室側に分電盤を設置する場合等には、浴室ドア枠の上方に浴室壁を構成するドア上壁パネルが配設され、該ドア上壁パネルにより浴室ドア枠の上方壁部の浴室側部分が構成される（例えば特許文献１）。
【０００３】
図７は従来のドア上壁パネルの取り付け構造を示す脱衣室側から見た分解斜視図である。浴室ドア枠５４の上方に配設されるドア上壁パネル５０の両側縁には脱衣室側となる背方に向けて連結部５１を突設してある。このドア上壁パネル５０を取り付けるには、両連結部５１に内側からねじ具５２を挿入し対応する浴室壁パネル５５の端部に設けたジョイナー５３に螺合するものである。
【０００４】
ところで上記ドア上壁パネル５０の施工後においては、ドア上壁パネル５０、浴室ドア枠５４、浴室壁パネル５５等を交換したりメンテナンスを行ったりする際に、あるいは浴室ユニットの解体を行う際などに、ドア上壁パネル５０を取り外す場合がある。
【０００５】
しかし、上記従来のドア上壁パネル５０の取り付け構造にあっては、ドア上壁パネル５０上に建物躯体等が位置する場合に浴室側からねじ具５２を取り外すことができないため、この場合はドア上壁パネル５０を取り外す前にドア上壁パネル５０の脱衣室側に配置された仕上げ材や分電盤等を取り外さなければならず、煩雑でコストがかかる。
【特許文献１】特開２０００−１８６４３４号公報
【発明の開示】
【発明が解決しようとする課題】
【０００６】
本発明は上記従来の問題点に鑑みてなされたものであって、ドア上壁パネルの脱衣室側に配置された仕上げ材や分電盤等を取り外すことなく、ドア上壁パネルや浴室ドア枠、浴室壁パネルの交換やメンテナンスを行うことができるドア上壁パネルの取り付け構造を提供する。
【課題を解決するための手段】
【０００７】
上記課題を解決するために本発明に係るドア上壁パネルの取り付け構造は、浴室ドア枠２の上方の浴室壁を構成するドア上壁パネル１を備え、ドア上壁パネル１の背面の両側端部に連結部３０を設けると共に、ドア上壁パネル１の両側に位置する浴室壁パネル３ａ、３ｂからドア上壁パネル１側に向けてパネル受け部９を突設し、前記連結部３０及びパネル受け部９のうち、一方に先端が膨大部２８となった係合突部２７を突設すると共に他方に係合孔３６を形成し、係合孔３６を、前記膨大部２８よりも大径の膨大部挿入用孔部３７と、前記膨大部２８よりも小径で膨大部挿入用孔部３７に連通する引掛け孔部３８とで構成し、ドア上壁パネル１を浴室ドア枠２上に載置すると共にドア上壁パネル１の両連結部３０を両パネル受け部９の浴室７側の面に沿わせ、且つ、係合突部２７を係合孔３６に挿通すると共に係合突部２７を引掛け孔部３８の縁部に係合して成ることを特徴とする。
【発明の効果】
【０００８】
本発明では、ドア上壁パネルの背面の両側端部に設けた連結部を浴室壁パネルから突設したパネル受け部に沿わせて、係合孔の膨大部挿入用孔部に対応する係合突部の膨大部を挿入し、この後、ドア上壁パネルを下方に移動して、ドア上壁パネルを浴室ドア枠の上枠上に載置すると共に、係合突部の膨大部を対応する引掛け孔部に係合することで、浴室側からの作業によりドア上壁パネルを浴室壁パネルに連結できる。また、施工後においてはドア上壁パネルを施工時とは逆に上方にスライドした後、ドア上壁パネルを浴室側に移動することにより、係合孔の膨大部挿入用孔部から係合突部の膨大部を引き抜いてドア上壁パネルを取り外すことができる。
【０００９】
従って、ドア上壁パネルや浴室ドア枠、浴室壁パネルの交換やメンテナンスを行う際、あるいは浴室ユニットの解体を行う際等に、ドア上壁パネルを取り外す場合には、ドア上壁パネルの取り付け・取り外しを浴室側から行うことができる。このため従来のようにドア上壁パネルの脱衣室側に配置された仕上げ材や分電盤等を取り外す必要がない。
【発明を実施するための最良の形態】
【００１０】
以下、本発明の実施形態の一例を添付図面に基づいて説明する。
【００１１】
図１乃至図６に示す本実施形態のドア上壁パネル１の取り付け構造は、浴室ユニットで構成した浴室に適用されるものであり、浴室ユニットは、浴室７の床を構成する床パン（図示せず）と、浴室７の４方の壁を構成する複数の浴室壁パネル３と、浴室７の天井を構成する天井パネル４を備えている。
【００１２】
床パンの外周縁部上には浴室壁パネル３が立設される。また、床パンの外周縁部の周方向の一部には洗い場に面する浴室ドア枠２が立設される。浴室ドア枠２は浴室７と浴室７の隣室となる脱衣室６とを連通させる出入口を構成し、該浴室ドア枠２の中央開口は折り戸等のドア５により開閉自在に閉塞される。
【００１３】
ドア上壁パネル１は浴室ドア枠２と略同じ幅寸法を有し、浴室ドア枠２の上方で且つ浴室ドア枠２の両側に立設した浴室壁パネル３ａ、３ｂの側端部の間に配設されて、浴室ドア枠２の上方の浴室壁を構成する。
【００１４】
本実施形態の浴室ドア枠２は、浴室ドア枠２の幅方向に垂直な浴室壁パネル３ａと、浴室ドア枠２の厚み方向に垂直（浴室ドア枠２と平行）な浴室壁パネル３ｂとの間に立設される。浴室壁パネル３ａ、３ｂは共に浴室ドア枠２よりも背が高く、両浴室壁パネル３ａ、３ｂの浴室ドア枠２（詳しくは上枠２ａ）より上方に突出した部分の間にドア上壁パネル１が配設される。
【００１５】
浴室壁パネル３ａ、３ｂは鋼板を折曲して形成した表面板８により構成され、表面板８の浴室側に面する表面部１３の裏面には図示しない断熱材が取り付けられる。各浴室壁パネル３ａ、３ｂの浴室ドア枠２側の側端部は表面部１３の側縁部から背方に突出した縁片１１により構成され、縁片１１は表面板８の側縁部を折り曲げることで形成される。
【００１６】
図４等に示すように浴室壁パネル３ａ、３ｂの夫々の浴室ドア枠２側の側端面には長尺な浴室ドア枠接続用のジョイナー１０ａ、１０ｂが上下方向の略全長に亘って設けられる。
【００１７】
浴室ドア枠２の幅方向に垂直な浴室壁パネル３ａに設けたジョイナー１０ａは水平断面Ｌ字状の金具からなる。ジョイナー１０ａは、その一方片部１０ａ１を浴室壁パネル３ａの縁片１１に沿わせ、該一方片部１０ａ１側から挿入したねじ具１２を縁片１１の上下複数箇所に螺合することにより一方片部１０ａ１を縁片１１に固着することで、浴室壁パネル３ａに取り付けられる。このように取り付けたジョイナー１０ａは前記一方片部１０ａ１の端部から直角に突出する他方片部１０ａ２の浴室側の面が表面部１３の外面と略面一となる。
【００１８】
一方、浴室ドア枠２の厚み方向に垂直な浴室壁パネル３ｂに設けたジョイナー１０ｂは、浴室側に開口する水平断面コ字状の金具からなる。ジョイナー１０ｂは、浴室ドア枠２側に位置する一方の側片１０ｂ１の内面を浴室壁パネル３ｂの縁片１１の外面に沿わせ、該側片１０ｂ１側から挿通したねじ具（図示せず）を縁片１１の上下複数に螺合することにより側片１０ｂ１を縁片１１に固着することで、浴室壁パネル３ｂに取り付けられる。
【００１９】
浴室ドア枠２の両側の縦枠２ｂは、縦枠２ｂの外面を対応するジョイナー１０ａ、１０ｂに沿わせ、各縦枠２ｂ側から挿通したねじ具１５を対応するジョイナー１０ａ、１０ｂの上下複数箇所に螺合することで、対応するジョイナー１０ａ、１０ｂに固着される。即ち、浴室ドア枠２の両側の縦枠２ｂは対応する浴室壁パネル３ａ、３ｂの側端部にジョイナー１０ａ、１０ｂを介して連結される。
【００２０】
ここで、上記浴室壁パネル３ａ、３ｂの浴室ドア枠２よりも上方に突出した部分の浴室ドア枠２側の側端部にはドア上壁パネル１の背面側に向けてパネル受け部９を夫々突設してあり、以下に詳述する。
【００２１】
既述のように浴室ドア枠２を両側のジョイナー１０ａ、１０ｂに取り付けた状態では、図２に示すようにジョイナー１０ａ、１０ｂの上端部が浴室ドア枠２の上枠２ａよりも上方に突出する。以下、ジョイナー１０ａ、１０ｂの上枠２ａよりも上方に突出した部分を突出部１６という。なお、本実施形態のジョイナー１０ａ、１０ｂには、上記浴室ドア枠２の他に、図示しない浴室壁パネル３ａ、３ｂと同程度の上下寸法を有する浴室ドア枠の両側の端部をねじ具により取り付けることが可能なものであり、これにより浴室７にドア上壁パネル１を取り付けない場合にも対応できるものである。
【００２２】
ジョイナー１０ａ、１０ｂの突出部１６は対向し、図２に示すように夫々の突出部１６の浴室ドア枠２側の面には上記パネル受け部９を構成する連結具１７、２０が取り付けられる。連結具１７、２０は共に縦に長い水平断面Ｌ字状の金具からなる。
【００２３】
ジョイナー１０ａに連結具１７を取り付けるには、ジョイナー１０ａの浴室ドア枠２の厚み方向に突出した他方片部１０ａ２の浴室側の面に断面Ｌ字状の連結具１７の一片部１７ａを沿わせ、一片部１７ａ側から挿通したねじ具１８を他方片部１０ａ２の上下複数箇所に螺合することにより一片部１７ａを他方片部１０ａ２に固着する。そして、このように取り付けた連結具１７の一片部１７ａの端部から直角に突出する他片部１７ｂは浴室壁パネル３ａから最も離れた位置においてドア上壁パネル１側に突出し、該他片部１７ｂにより前述の浴室壁パネル３ａに設けたパネル受け部９が構成される。
【００２４】
また、ジョイナー１０ｂに連結具２０を取り付けるには、ジョイナー１０ｂの側片１０ｂ１の浴室ドア枠２側の面に断面Ｌ字状の連結具２０の一片部２０ａを沿わせ、一片部２０ａ側から挿通したねじ具１９を側片１０ｂ１の上下複数箇所に螺合することにより一片部２０ａを側片１０ｂ１に固着する。このように取り付けた連結具２０の一片部２０ａの端部から直角に突出する他片部２０ｂは脱衣室６側の端部に位置して連結具１７の他片部１７ｂに対向し、この位置でドア上壁パネル１側に突出している。そして、この他片部２０ｂにより前述の浴室壁パネル３ｂに設けたパネル受け部９が構成される。
【００２５】
上記両パネル受け部９、即ち連結具１７の他片部１７ｂ及び連結具２０の他片部２０ｂには先端が膨大部２８となった係合突部２７を浴室７側に向けて突設してある。
【００２６】
図３に示すように、係合突部２７は各パネル受け部９に浴室７側から取り付けた特殊ねじ２１により構成される。特殊ねじ２１は頭部２２から突出した軸部２３における基端部をこれよりも先側に形成された雄ねじ２４よりも大径で且つ前記頭部２２よりも小径の当接部２５としている。なお、当接部２５には雄ねじを形成していない。
【００２７】
各特殊ねじ２１は、雄ねじ２４をパネル受け部９に形成した浴室ドア枠２の厚み方向に貫通する螺子孔２６に螺合することで、対応するパネル受け部９に取り付けられる。また、各特殊ねじ２１は当接部２５がパネル受け部９の浴室７側の面に当接するまで他片部１７ｂ、２０ｂにねじ込まれた状態で取り付けられ、各特殊ねじ２１の頭部２２と対応する他片部１７ｂ、２０ｂの間には隙間２９が設けられる。そしてこのように取付けた各特殊ねじ２１の当接部２５及び頭部２２により係合突部２７を構成し、丸頭状の頭部２２により膨大部２８を構成している。
【００２８】
一方、浴室ドア枠２の上方に配設されるドア上壁パネル１の背面の両側端部には対応するパネル受け部９に連結される連結部３０を設けている。
【００２９】
既述のドア上壁パネル１は鋼板を折曲して形成されるものであり、ドア上壁パネル１の上縁部、両側縁部、下縁部の夫々には背方（脱衣室６側）に向けて突出する、上縁片３１、側縁片３２、下縁片３３を設けている。なお、ドア上壁パネル１の表面部の裏面には断熱材が取り付けられる。
【００３０】
両側の側縁片３２の後縁にはドア上壁パネル１の前面部と平行な背面片３５を内側方に向けて突設してあり、各背面片３５が連結部３０を構成する。図５に示すように各連結部３０にはドア上壁パネル１の厚み方向に貫通する係合孔３６を穿設している。
【００３１】
各係合孔３６はだるま孔形状に形成してあり、下部の膨大部挿入用孔部３７と、膨大部挿入用孔部３７に連通する上部の引掛け孔部３８とで構成される。膨大部挿入用孔部３７は対応する係合突部２７の膨大部２８（即ち特殊ねじ２１の頭部２２）よりも大径に形成してあり、膨大部２８を挿通可能としてある。引掛け孔部３８は対応する係合突部２７の膨大部２８よりも小径で且つ係合突部２７の突出基端部を構成する当接部２５よりも大径に形成してある。
【００３２】
また、各背面片３５の突出基端部には頭部挿通用開口３９を形成している。また、ドア上壁パネル１の上縁片３１の後縁部には上方に向けて突出する立ち上げ片３４を設けている。
【００３３】
上記ドア上壁パネル１は例えば以下に示すように浴室壁パネル３ａ、３ｂに連結される。まず、既述のように、床パン上に浴室ドア枠２及びこの両側に浴室壁パネル３ａ、３ｂを立設すると共に、浴室壁パネル３ａ、３ｂの夫々にジョイナー１０ａ、１０ｂを介して連結具１７、２０を取り付け、且つ、連結具１７、２０の夫々に特殊ねじ２１を取り付ける。
【００３４】
これにより、浴室ドア枠２の上方部には浴室ドア枠２の上枠２ａと両側の浴室壁パネル３ａ、３ｂに設けた連結具１７、２０によって囲まれてなる上方に開口するドア上壁パネル配置部４０（図４、図５（ａ）参照）が形成される。
【００３５】
次に、図４に示すように、ドア上壁パネル配置部４０の浴室７側に配置したドア上壁パネル１を脱衣室６側に移動し、これにより図５（ａ）に示すようにドア上壁パネル１の両側の連結部３０を対応するパネル受け部９の浴室７側の面に沿わせると共に、各連結部３０に設けた係合孔３６の膨大部挿入用孔部３７に対応する係合突部２７の膨大部２８を挿入し、各膨大部２８を連結部３０より浴室７側に突出させる。
【００３６】
なお、この時、ドア上壁パネル１は、両側の側縁片３２で構成される両外側面が連結具１７の一片部１７ａ及び連結具２０の一片部２０ａの夫々に沿って移動するが、この時、連結具１７、２０の取り付けに用いたねじ具１８、１９の頭部は各背面片３５に設けた頭部挿通用開口３９を通過し、ドア上壁パネル１の前面部と背面片３５の間に収納される。
【００３７】
次に上記ドア上壁パネル１を両側の連結部３０を対応するパネル受け部９の浴室７側の面に沿わせながら、且つ、両側の側縁片３２を連結具１７の一片部１７ａ又は連結具２０の一片部２０ａに沿わせながら、図５（ｂ）に示すようにドア上壁パネル１の下縁片３３が浴室ドア枠２の上枠２ａに当接するまで下方にスライドする。
【００３８】
これにより各パネル受け９から浴室７側に突出した係合突部２７の当接部２５は係合孔３６の膨大部挿入用孔部３７から引掛け孔部３８に移動し、これにより各連結部３０の引掛け孔部３８の両側縁部が特殊ねじ２１の頭部２２と対応する他片部１７ｂ、２０ｂの間に形成された隙間２９に挿入され、各係合突部２７の膨大部２８は引掛け孔部３８の両側縁部の浴室７側の面に係合する。
【００３９】
これにより、ドア上壁パネル１はドア上壁パネル配置部４０に配置され、該ドア上壁パネル１の下縁片３３は浴室ドア枠２の上枠２ａ上に載置され、且つ、係合孔３６の引掛け孔部３８に係合突部２７の膨大部２８が係合して浴室７側への抜止めがなされ、且つ、両側の連結部３０が対応するパネル受け部９の浴室７側の面に当接し、且つ、両側の側縁片３２が連結具１７の一片部１７ａ及び連結具２０の一片部２０ａの夫々の外面に当接した状態となる。
【００４０】
また、上記のようにドア上壁パネル１をドア上壁パネル配置部４０に配設した後には、図６に示すようにドア上壁パネル１の上方に天井パネル４が配設される。
【００４１】
天井パネル４も鋼板を折り曲げて形成されるものであり、天井パネル４の外周縁部には下方に突出する垂下片４１を設けている。天井パネル４の下面部は垂下片４１を立ち上げ片３４の脱衣室６側に位置させた状態で浴室壁パネル３ａ、３ｂ上及びドア上壁パネル１の立ち上げ片３４上に載置される。
【００４２】
そして、図６に示すように立ち上げ片３４や浴室壁パネル３ａ、３ｂに浴室２側から挿通したねじ具４２を垂下片４１に螺合することにより浴室壁パネル３ａ、３ｂ及びドア上壁パネル１に固着される。なお、図６中４３はドア上壁パネル１の上縁片３１と天井パネル４の下面部の間に配設される廻り縁材である。
【００４３】
以上説明したドア上壁パネルの取り付け構造にあっては、既述のようにドア上壁パネル１の背面の両側端部に設けた連結部３０を浴室壁パネル３ａ、３ｂから突設したパネル受け部９に沿わせて、各係合孔３６の膨大部挿入用孔部３７に対応する係合突部２７の膨大部２８を挿入し、この後、ドア上壁パネル１を下方に移動して、ドア上壁パネル１を浴室ドア枠２の上枠２ａ上に載置すると共に、各係合突部２７の膨大部２８を対応する引掛け孔部３８に係合するという浴室７側からの作業によりドア上壁パネル１を浴室壁パネル３ａ、３ｂに連結できる。
【００４４】
また、施工後においてドア上壁パネル１を取り外す場合は、まず、天井パネル４を固着するためのねじ具４２を取り外して天井パネル４を浴室壁パネル３ａ、３ｂやドア上壁パネル１から取り外す。
【００４５】
次に、ドア上壁パネル１を施工時とは逆に上方にスライドして各係合突部２７の当接部２５を係合孔３６の膨大部挿入用孔部３７に移動し、この後、ドア上壁パネル１を浴室７側に移動する。これにより各係合孔３６の膨大部挿入用孔部３７から係合突部２７の膨大部２８を引き抜いてドア上壁パネル１を取り外すことができる。
【００４６】
従って、ドア上壁パネル１、浴室ドア枠２、浴室壁パネル３ａ、３ｂ等の交換やメンテナンスを行う際、あるいは浴室ユニットの解体を行う際等に、ドア上壁パネル１の取り付け・取り外しを浴室７側から行うことができ、ドア上壁パネル１の脱衣室６側に配置された仕上げ材４４（図６参照）や分電盤４５等を取り外す必要がない。
【００４７】
なお、本実施形態では、パネル受け部９に係合突部２７を設けると共に連結部３０に係合孔３６を形成したが、逆に連結部３０に係合突部２７を設けると共にパネル受け部９に係合孔３６を形成しても良く、この場合も上記と同様の効果が得られる。また、本実施形態では、浴室ドア枠２の両側に立設した浴室壁パネル３ａ、３ｂのうち一方の浴室壁パネル３ｂを浴室ドア枠２と垂直なものとしたが、浴室ドア枠２の両側に浴室ドア枠２と平行な浴室壁パネル３を立設し、両浴室壁パネル３の端部にドア上壁パネル１の両端部を連結しても良いものとする。
【図面の簡単な説明】
【００４８】
【図１】本発明の実施の形態の一例のドア上壁パネルの取り付け構造を示し、ドア上壁パネルを取り付ける前の状態を示す脱衣室側から見た斜視図である。
【図２】同上の浴室に立設した壁パネルに連結具を取り付ける前の状態を示す脱衣室側から見た斜視図である。
【図３】図５の要部拡大図である。
【図４】同上のドア上壁パネルを取り付ける前の状態を示す水平断面図である。
【図５】同上のドア上壁パネルの取り付け方法を示す背面図であり、（ａ）はドア上壁パネルを取り付ける前の状態を示し、（ｂ）はドア上壁パネルを取り付けた後の状態を示す。
【図６】同上のドア上壁パネルと天井パネルの連結構造を示す断面図である。
【図７】従来のドア上壁パネルの取り付け構造を示す脱衣室側から見た分解斜視図である。
【符号の説明】
【００４９】
１  ドア上壁パネル
２  浴室ドア枠
３ａ  浴室壁パネル
３ｂ  浴室壁パネル
９  パネル受け部
２７  係合突部
２８  膨大部
３０  連結部
３６  係合孔
３７  膨大部挿入用孔部
３８  引掛け孔部
【図１】
2009263993.tif 000003
【図２】
2009263993.tif 000004
【図３】
2009263993.tif 000005
【図４】
2009263993.tif 000006
【図５】
2009263993.tif 000007
【図６】
2009263993.tif 000008
【図７】
2009263993.tif 000009